(57)【要約】【課題】上受皿からオーバーフロー通路に取り込まれる球を遊技者が目で確認できるようにする。【解決手段】上受皿１と下受皿２とが皿装置の基盤を構成する下前扉３の前部に設けられ、通路カバー４が下前扉３の後部に設けられ、上受皿１と下受皿２とがオーバーフロー通路５で接続され、上受皿１の前側から見える背面部６に超過入口７が設けられ、上受皿１で過剰になった球が超過入口７からオーバーフロー通路５および超過出口８を経由して下受皿２に排出されるので、上受皿１から超過入口７を経由してオーバーフロー通路５に取り込まれる球を遊技者が目で確認でき、上受皿１からオーバーフロー通路５に取り込まれた球の全部が下受皿に排出されているかいないかという不安を、遊技者が抱くことはないという利点がある。【選択図】図１
2009022354.tif 000002
【特許請求の範囲】
【請求項１】
球払出装置から払い出された球を受け取る上受皿と上受皿から過剰な球として排出される球を受け取る下受皿とが遊技機枠の前部に設けられた遊技機において、上受皿の前側から見える上受皿の背面部または上受皿の前側から見える底面部には、上受皿から下受皿に過剰な球として排出される球を受け入れる超過入口が設けられたことを特徴とする遊技機における皿装置のオーバーフロー機構。
【発明の詳細な説明】
【技術分野】
【０００１】
本発明は、上受皿からオーバーフロー通路に取り込まれる球を遊技者が目で確認できる遊技機における皿装置のオーバーフロー機構に関する。
【背景技術】
【０００２】
パチンコ遊技機などのパチンコ球と呼ばれる球を遊技媒体として使用する遊技機には、上受皿と下受皿が遊技機枠の前部に設けられ、上受皿と下受皿がオーバーフロー通路で接続され、オーバーフロー通路に満タン検出機構が設けられ、上受皿で過剰な球がオーバーフロー通路を経由して下受皿に排出され、球が下受皿からオーバーフロー通路まで満杯になると、満タン検出機構が満杯になった球を検出して満杯であることを知らせるようにしたものが公知である。しかしながら、上受皿からオーバーフロー通路に球を取り込む超過入口が上受皿よりも後方に設けられているので、上受皿からオーバーフロー通路に取り込まれる球を遊技者が目で確認できず、遊技者が上受皿から超過入口に取り込まれた球の全部が下受皿に排出されているかという不安を抱くという欠点がある。
【特許文献１】特開２００６−６８２３８公報
【特許文献２】特開平１１−７６５４４号公報
【発明の開示】
【発明が解決しようとする課題】
【０００３】
発明が解決しようとする問題点は、上受皿からオーバーフロー通路に取り込まれる球を遊技者が目視できないという点である。
【課題を解決するための手段】
【０００４】
本発明に係る遊技機における皿装置のオーバーフロー機構は、上受皿と下受皿が遊技機枠の前部に設けられ、上受皿と下受皿がオーバーフロー通路で接続された遊技機における皿装置のオーバーフロー機構において、上受皿の前側から見える背面部または上受皿の前側から見える底面部には上受皿からオーバーフロー通路に球を取り込む超過入口が設けられたことを最も主要な特徴とする。
【発明の効果】
【０００５】
本発明に係る遊技機における皿装置のオーバーフロー機構は、上受皿からオーバーフロー通路に取り込まれる球を遊技者が目で確認でき、遊技者が上受皿から超過入口に取り込まれた球の全部が下受皿に排出されているかいないかという不安を抱くことはないという利点がある。
【発明を実施するための最良の形態】
【０００６】
図１のａ図は、遊技機における皿装置のオーバーフロー機構の搭載された下前扉３の前部を示す。図１のｂ図は、遊技機における皿装置のオーバーフロー機構の搭載された下前扉３の後部を示す。図２は、遊技機枠３１を示す。本明細書において、「前」、「後」、「左」、「右」、「上」、「下」の方向は、図２の状態に遊技機枠３１を置いて矢印Ｓで示す前側から見た場合に特定される方向である。
【０００７】
図１を参照し、遊技機における皿装置のオーバーフロー機構について説明する。図１のａ図に示すように、上受皿１と下受皿２とが皿装置の基盤を構成する下前扉３の前部に設けられ、通路カバー４が下前扉３の後部に設けられ、上受皿１と下受皿２とがオーバーフロー通路５で接続され、上受皿１の前側から見える背面部６に超過入口７が設けられ、上受皿１で過剰になった球が超過入口７からオーバーフロー通路５および超過出口８を経由して下受皿２に排出される。
【０００８】
よって、最良の形態の遊技機における皿装置のオーバーフロー機構によれば、超過入口７が上受皿１の前側から見える背面部６に設けられているので、上受皿１から超過入口７を経由してオーバーフロー通路５に取り込まれる球を遊技者が目で確認でき、上受皿１からオーバーフロー通路５に取り込まれた球の全部が下受皿に排出されているかいないかという不安を、遊技者が抱くことはないという利点がある。
【０００９】
最良の形態では、上受皿１が発射するための球を背面部６に沿って右側から左側に行くにしたがって徐々に一列となるように誘導する構造であって、超過入口７が背面部６の右側部でかつ上受皿１の底面部９よりも上方に離れた高い位置に設けられ、上受皿１の底面部９に超過誘導構造体１０が超過入口７の前側に対応して設けられた例である。
【００１０】
超過誘導構造体１０は、堤防部１１および超過通路１２を備える。堤防部１１は、上受皿１の底面部９から上方に突出した縦壁を構成し、球通路構造体４０の内部における図外の球通路から上受皿１に払い出された球を超過入口７や超過通路１２の方に行かないように阻止する。超過通路１２は、前方から後方に下り勾配となる上方に開放された溝を構成し、上受皿１から堤防部１１を右側に乗り越えてきた球を超過入口７の方に誘導する。
【００１１】
超過入口７は、超過通路１２から後方に誘導されてきた球を取り込めるとともに堤防部１１で上受皿１から超過通路１２の方に行くのを堰き止められた球の上に載った球を取り込めるように、超過誘導構造体１０よりも横幅の大きな開口を構成し、超過誘導構造体１０から左側にも開口する。
【００１２】
要するに、上受皿１では、超過入口７が上受皿１の底面部９よりも上方に離れかつ上受皿１の背面部６の右側部に設けられ、超過誘導構造体１０が超過入口７の前側に対応して上受皿１の底面部９に設けられ、超過誘導構造体１０が堤防部１１および超過通路１２を備えているので、図２の球通路構造体４０から上受皿１に払い出された球が堤防部１１を越えるまで上受皿１に溜まるという利点がある。
【００１３】
また、上受皿１に溜まった球が堤防部１１を越えるのに伴い、当該越えた球が超過通路１２から超過入口７に誘導されるかまたは上受皿１から超過入口７の超過通路１２から左側にも開口した部分に取り込まれる。よって、上受皿１に溜まった球が堤防部１１を越えた場合、当該越えた球が下前扉３の後部に回り込んで通路カバー４のオーバーフロー通路５から超過出口８を経由して下受皿２に円滑に流れるという利点がある。
【００１４】
上受皿１の前面部１３には上球抜操作部１４が設けられ、下受皿２の底面部１５には下球抜孔１６および下球抜蓋１７が設けられ、下受皿２の背面部１８には超過出口８が設けられ、下受皿２の前面部１９には下球抜操作部２０が設けられ、下前扉３の前部の右下部には発射操作機構２１が設けられる。
【００１５】
遊技者が連結機構における図外のばねのばね力に抗して下球抜操作部２０を操作すると、下球抜蓋１７が開いて下球抜孔１６を開放し、球が下受皿２から下方外部に排出される。上記遊技者が下球抜操作部２０への操作を開放すると、連結機構における図外のばねによって下球抜蓋１７が閉じて下球抜孔１６を閉鎖し、球が下受皿２から下方外部に排出されなくなる。
【００１６】
図１のｂ図に示すように、下前扉３の後部には、通路カバー４、発射球供給機構２３、球抜扉２４、球抜通路２５、球抜出口２６、満タン検出機構２７が設けられる。発射球供給機構２３は、発射操作機構２１が操作されている場合、上受皿１から発射機構に球を１個ずつ送出するように動く。通路カバー４が下前扉３に取り付けられたことによって形成されるオーバーフロー通路５は、超過入口７や球抜出口２６から下前扉３の後部に排出された球を超過出口８に誘導する。
【００１７】
球抜扉２４は、球抜通路２５に設けられ、上球抜操作部１４が開操作されるのに伴い球抜通路２５を開放するように開き、上球抜操作部１４が閉操作されるのに伴い球抜通路２５を閉鎖するように閉じる。つまり、球抜扉２４が開くと、上受皿１から発射球供給機構２３に到達されていた球が球抜通路２５から球抜出口２６およびオーバーフロー通路５を経由して超過出口８に到達する。よって、上球抜操作部１４が開操作されると、球が上受皿１から下受皿２に抜き取られて溜まる。
【００１８】
満タン検出機構２７は、球が下受皿２から超過出口８を経由してオーバーフロー通路５に下方から球抜出口２６を越えない範囲に溜まった球を検出して満タン検出信号を制御装置に出力し、制御装置が例えば発射機構を停止することによって、下受皿２からオーバーフロー通路５まで球で満たされた満杯であることが遊技者に知らせられる。
【００１９】
図２を参照し、皿装置のオーバーフロー機構を搭載した遊技機としてパチンコ遊技機を例として説明する。パチンコ遊技機は、遊技機枠３１の内部に図外の遊技盤を交換可能に取り付ける形態である。遊技機枠３１は、固定枠３２の前部に可動枠３３を開閉可能に備え、可動枠３３の前部に下前扉３および上前扉３４を開閉可能に備える。固定枠３２は、遊技機設置設備に固定される。遊技機設置設備は、パチンコ遊技機を設置する遊技店の島と呼ばれる設備である。
【００２０】
可動枠３３は、遊技盤や図外の制御装置など遊技に必要な部品を取り付ける前枠とも呼ばれ、左側に位置するヒンジ３５を中心とし、固定枠３２の前で前方に開かれかつ後方に閉じられるように、片開き可能である。可動枠３３には、図外の発射機構、球払出装置３６、施錠装置３７などが設けられる。下前扉３および上前扉３４は、左側に位置する図外のヒンジを中心とし、可動枠３３の前で前方に開かれかつ後方に閉じられるように、片開き可能である。上前扉３４には、窓３８、窓パネル３９、球通路構造体４０などが設けられる。球通路構造体４０の内部には、図外の球通路が設けられる。この球通路構造体４０の球通路の下端には、球を上受皿１に向けて落下させる球出口が設けられる。球通路構造体４０の下端における球出口と超過入口７とが互いに近づいた状態であるので、遊技者が球通路構造体４０から上受皿１に払い出される球と上受皿１から超過入口７に取り込まれる球とを目で容易に確認できるという利点がある。
【００２１】
球払出装置３６は、タンク４１および払出機構４２を備え、タンク４１が可動枠３３の後部に取り付けられ、払出機構４２が停止した状態において、遊技機枠３１の設置された図外の遊技機設置構造体の補給機構から排出されたパチンコ球と呼ばれる球がタンク４１に上方から貯蔵される。球がタンク４１に貯蔵された状態において、払出機構４２が駆動すると、球がタンク４１から払出機構４２および球通路構造体４０を経由して上受皿１に払い出される。
【００２２】
パチンコ遊技の一例について説明する。図外の遊技盤が可動枠３３に装着され、可動枠３３と上前扉３４および下前扉３が閉じられて開閉不能に固定枠３２に支持された状態において、遊技者が上受皿１にパチンコ球と呼ばれる球を入れ、遊技者が発射操作機構２１を操作するのに伴い、発射機構が発射操作機構２１の操作量に応じた発射力で駆動し、発射機構が上受皿１から遊技機枠３１の内部に取り込まれた球を１個ずつ遊技盤の前面と窓パネル３９との間の遊技領域の上部に向けて発射する。遊技領域の上部に到達した球が、遊技領域を流下する過程において、図外の入賞部品に入賞するごとに、球払出装置３６が賞球としての球を遊技機枠３１の前方に払い出すと、当該払い出された球が球通路構造体４０から下方に上受皿１に払い出される。
【産業上の利用可能性】
【００２３】
図３は、発明を実施するための異なる第１形態を示す。図３に示すように、超過入口７が、上受皿１の背面部６の右側部から除去され、仮想線で示すように、上受皿１の背面部６の左右方向の中間部、または、上受皿１の底面部９の右側部、または、上受皿１の底面部９の左右方向の中間部に設けられても、上受皿１から超過入口７を経由してオーバーフロー通路５に取り込まれる球を遊技者が目で確認できる。超過出口８が、下受皿２の背面部１８から除去され、仮想線で示すように、下受皿２の側面部２８に設けられてもよい。
【００２４】
図４は、発明を実施するための異なる第２形態を示す。図４に点線で示すように、球払出装置３６および球通路構造体４０が可動枠３３の後部に設けられ、球払出装置３６の払出機構４２から払い出された球が球通路構造体４０および球出口４３を経由して上受皿１に払い出される構造でもよい。図４に仮想線で示すように、球払出装置３６および球通路構造体４０が可動枠３３の後部に設けられ、球払出装置３６の払出機構４２から払い出された球が球通路構造体４０および球出口４３を経由して上受皿１に払い出される構造でもよい。
【００２５】
図２において、上前扉３４および下前扉３を１体の前扉として構成してもよい。
【図面の簡単な説明】
【００２６】
【図１】ａ図は下前扉の前部の斜視図、ｂ図は通路カバーの後壁を除去した下前扉の背面図。（最良の形態）。
【図２】パチンコ遊技機の遊技機枠の斜視図（最良の形態）。
【図３】下前扉の前部の斜視図（第１形態）。
【図４】遊技機枠の正面図（第２形態）。
【符号の説明】
【００２７】
１は上受皿、２は下受皿、３は下前扉、４は通路カバー、５はオーバーフロー通路、６は背面部、７は超過入口、８は超過出口、９は底面部、１０は超過誘導構造体、１１は堤防部、１２は超過通路、１３は前面部、１４は上球抜操作部、１５は底面部、１６は下球抜孔、１７は下球抜蓋、１８は背面部、１９は前面部、２０は下球抜操作部、２１は発射操作機構、２２は欠番、２３は発射球供給機構、２４は球抜扉、２５は球抜通路、２６は球抜出口、２７は満タン検出機構、２８は側面部、２９；３０は欠番、３１は遊技機枠、３２は固定枠、３３は可動枠、３４は上前扉、３５はヒンジ、３６は球払出装置、３７は施錠装置、３８は窓、３９は窓パネル、４０は球通路構造体、４１はタンク、４２は払出機構、４３は球出口。
【図１】
2009022354.tif 000003
【図２】
2009022354.tif 000004
【図３】
2009022354.tif 000005
【図４】
2009022354.tif 000006